【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
物理ブロードキャストチャネルによってシステムメッセージを伝送することと、
システムメッセージを載せる物理共有チャネルの構成情報、端末アクセスの構成情報のうちの少なくともいずれかを含む前記システムメッセージに基づいて、物理下りチャネルを伝送することと、
を含むシステムメッセージの伝送方法。
【請求項２】
前記システムメッセージがシステムの周波数領域位置情報を含む、
請求項１に記載の方法。
【請求項３】
前記システムメッセージが、予め設定されたリソース位置にて伝送され、前記予め設定されたリソース位置は、前記物理ブロードキャストチャネルが、サブフレームの１番目のスロットの最後のＹ（Ｙは０、１、２、３、４、５含む）個のＯＦＤＭシンボル及び２番目のスロットの前のＸ（Ｘは４、５、６、７を含む）個のＯＦＤＭシンボルに位置する、
請求項１に記載の方法。
【請求項４】
前記物理ブロードキャストチャネル及び同期チャネルは、隣り合うサブフレームに位置する、
請求項１に記載の方法。
【請求項５】
前記物理ブロードキャストチャネル及び同期チャネルが、隣り合うサブフレームに位置することは、
同期チャネルがサブフレーム＃９に位置し、前記物理ブロードキャストチャネルがサブフレーム＃０に位置することを含む、
請求項４に記載の方法。
【請求項６】
前記物理ブロードキャストチャネルは狭帯域参照信号を用いて復調され、前記狭帯域参照信号は前記物理ブロードキャストチャネルを伝送するサブフレームにおける各スロットの最後の２つのＯＦＤＭシンボルにて伝送される、
請求項１に記載の方法。
【請求項７】
前記物理ブロードキャストチャネルは狭帯域参照信号を用いて復調され、前記狭帯域参照信号は前記物理ブロードキャストチャネルを伝送する各ＯＦＤＭシンボルにて伝送される、
請求項１に記載の方法。
【請求項８】
システムメッセージを載せる物理共有チャネル構成情報は、
前記物理共有チャネルに載せられるシステム情報のビット数、
前記物理共有チャネルが占有するサブフレーム数、
前記物理共有チャネルが占有する無線フレーム情報、のうちの少なくともいずれかを含む、
請求項１に記載の方法。
【請求項９】
端末アクセスの構成情報は、
端末のアクセスを許可するか否か、システム状態情報、端末上りアクセスリソース構成情報のうちの少なくともいずれかを含み、前記システム状態情報は、端末が、システムへのアクセスを行うか否か、及び／又は、如何にしてシステムにアクセスするかを判定することに用いられる、
請求項１に記載の方法。
【請求項１０】
物理共有チャネルによってシステムメッセージを伝送することと、
物理下りチャネルの利用可能なリソース情報及び/又はシステムの周波数領域位置情報を含む前記システムメッセージに基づいて、前記物理下りチャネルを伝送することと、
を含むシステムメッセージの伝送方法。
【請求項１１】
前記物理下りチャネルの利用可能なリソース情報は、前記物理下りチャネルの、１つのサブフレームにおける最初の直交周波数分割多重ＯＦＤＭシンボル情報を含む、
請求項１０に記載の方法。
【請求項１２】
前記物理下りチャネルの利用可能なリソース情報は、前記物理下りチャネルの、１つのサブフレームにおける使用されないリソースユニット情報を含む、
請求項１０に記載の方法。
【請求項１３】
セル固有参照信号ＣＲＳポート位置によって前記リソースユニット情報を指示することをさらに含み、前記セル固有参照信号ポート位置は、ポート数及び／又は仮想セル識別子を含む、
請求項１２に記載の方法。
【請求項１４】
前記システムメッセージを載せる物理共有チャネルの、サブフレームにおける最初の直交周波数分割多重ＯＦＤＭシンボルは固定値であり、対応する利用可能なリソース単位は、固定した仮想セル固有参照信号ポートを除外した後の残存リソースであることを含む、
請求項１０に記載の方法。
【請求項１５】
前記システムメッセージを載せる物理共有チャネル、同期チャネル及び物理ブロードキャストチャネルは、異なるサブフレームに位置する、
請求項１０に記載の方法。
【請求項１６】
前記システムメッセージを載せる物理共有チャネルサブフレームは、サブフレーム＃０、サブフレーム＃４、サブフレーム＃５、サブフレーム＃９のうちの１つ又は複数のサブフレームを含む、
請求項１５に記載の方法。
【請求項１７】
物理ブロードキャストチャネルによってシステムメッセージを伝送するシステムモジュールと、
システムメッセージを載せる物理共有チャネルの構成情報、端末アクセスの構成情報、のうちの少なくともいずれかを含む前記システムメッセージに基づいて、物理下りチャネルを伝送するチャネルモジュールと、
を備えるシステムメッセージの伝送装置。
【請求項１８】
前記システムメッセージがシステムの周波数領域位置情報を含む、
請求項１７に記載の装置。
【請求項１９】
前記システムメッセージが、予め設定されたリソース位置にて伝送され、前記予め設定されたリソース位置は、前記物理ブロードキャストチャネルが、サブフレームの１番目のスロットの最後のＹ（Ｙは０、１、２、３、４、５含む）個のＯＦＤＭシンボル及び２番目のスロットの前のＸ（Ｘは４、５、６、７を含む）個のＯＦＤＭシンボルに位置する、
請求項１７に記載の装置。
【請求項２０】
前記物理ブロードキャストチャネル及び同期チャネルは、隣り合うサブフレームに位置する、
請求項１７に記載の装置。
【請求項２１】
前記物理ブロードキャストチャネル及び同期チャネルが、隣り合うサブフレームに位置することは、
同期チャネルがサブフレーム＃９に位置し、前記物理ブロードキャストチャネルがサブフレーム＃０に位置することを含む、
請求項２０に記載の装置。
【請求項２２】
前記物理ブロードキャストチャネルは狭帯域参照信号を用いて復調され、前記狭帯域参照信号は前記物理ブロードキャストチャネルを伝送するサブフレームにおける各スロットの最後の２つのＯＦＤＭシンボルにて伝送される、
請求項１７に記載の装置。
【請求項２３】
前記物理ブロードキャストチャネルは狭帯域参照信号を用いて復調され、前記狭帯域参照信号は前記物理ブロードキャストチャネルを伝送する各ＯＦＤＭシンボルにて伝送される、
請求項１７に記載の装置。
【請求項２４】
システムメッセージを載せる物理共有チャネル構成情報は、
前記物理共有チャネルに載せられるシステム情報のビット数、
前記物理共有チャネルが占有するサブフレーム数、
前記物理共有チャネルが占有する無線フレーム情報、のうちの少なくともいずれかを含む、
請求項１７に記載の装置。
【請求項２５】
端末アクセスの構成情報は、
端末のアクセスを許可するか否か、システム状態情報、端末上りアクセスリソース構成情報のうちの少なくともいずれかを含み、前記システム状態情報は、端末が、システムへのアクセスを行うか否か、及び／又は、如何にしてシステムにアクセスするかを判定することに用いられる、
請求項１７に記載の装置。
【請求項２６】
物理共有チャネルによってシステムメッセージを伝送する通信モジュールを含み、
さらに、物理下りチャネルの利用可能なリソース情報及び/又はシステムの周波数領域位置情報を含む前記システムメッセージに基づいて、前記物理下りチャネルを伝送する、
システムメッセージの伝送装置。
【請求項２７】
前記物理下りチャネルの利用可能なリソース情報は、前記物理下りチャネルの、１つのサブフレームにおける最初の直交周波数分割多重ＯＦＤＭシンボル情報を含む、
請求項２６に記載の装置。
【請求項２８】
前記物理下りチャネルの利用可能なリソース情報は、前記物理下りチャネルの、１つのサブフレームにおける使用されないリソースユニット情報を含む、
請求項２６に記載の方法。
【請求項２９】
セル固有参照信号ＣＲＳポート位置によって前記リソースユニット情報を指示することをさらに含み、前記セル固有参照信号ポート位置は、ポート数及び／又は仮想セル識別子を含む、
請求項２８に記載の装置。
【請求項３０】
前記システムメッセージを載せる物理共有チャネルの、サブフレームにおける最初の直交周波数分割多重ＯＦＤＭシンボルは固定値であり、対応する利用可能なリソース単位は、固定した仮想セル固有参照信号ポートを除外した後の残存リソースであることを含む、
請求項２６に記載の装置。
【請求項３１】
前記システムメッセージを載せる物理共有チャネル、同期チャネル及び物理ブロードキャストチャネルは、異なるサブフレームに位置する、
請求項２６に記載の装置。
【請求項３２】
前記システムメッセージを載せる物理共有チャネルサブフレームは、サブフレーム＃０、サブフレーム＃４、サブフレーム＃５、サブフレーム＃９のうちの１つ又は複数のサブフレームを含む、
請求項３１に記載の装置。
【請求項３３】
予め設定されたリソース位置にて物理ブロードキャストチャネルによってシステムメッセージを受信することと、
システムの周波数領域位置情報、端末アクセスの構成情報、前記物理下りチャネルの利用可能なリソース情報のうちの少なくともいずれかを含む前記システムメッセージに基づいて、物理下りチャネルを受信することと、を含む、
システムメッセージの伝送方法。
【請求項３４】
前記物理ブロードキャストチャネル及び同期チャネルは、隣り合うサブフレームに位置する、
請求項３３に記載の方法。
【請求項３５】
同期チャネルがサブフレーム＃９に位置し、前記物理ブロードキャストチャネルがサブフレーム＃０に位置する、
請求項３４に記載の方法。
【請求項３６】
予め設定されたリソース位置にて物理ブロードキャストチャネルによってシステムメッセージを受信する通信モジュールを含み、
さらに、システムの周波数領域位置情報、端末アクセスの構成情報、前記物理下りチャネルの利用可能なリソース情報のうちの少なくともいずれかを含む前記システムメッセージに基づいて、物理下りチャネルを受信する、
システムメッセージの伝送装置。
【請求項３７】
前記物理ブロードキャストチャネル及び同期チャネルは、隣り合うサブフレームに位置する、
請求項３６に記載の装置。
【請求項３８】
同期チャネルがサブフレーム＃９に位置し、前記物理ブロードキャストチャネルがサブフレーム＃０に位置する、
請求項３７に記載の装置。